(57)【特許請求の範囲】
【請求項１】
回動する扉本体と、扉本体に設けた開閉操作用の把手と、開放力付与機構とを備え、把手は、扉本体の室内外の対称位置に各々上下方向に沿うように配置した室内側把手と室外側把手とであり、室内側把手及び室外側把手の上端部を扉本体に対して室内外方向に摺動自在に貫通した状態で把手座に支持される上リンクの端部に各々枢着連結するとともに、室内側把手及び室外側把手の下端部を扉本体に対して室内外方向に摺動自在に貫通した状態で把手座に支持されて上リンクと平行をなす下リンクの端部に各々枢着連結することにより、扉本体に対して開閉方向に押し引き作動可能としてあり、開放力付与機構はギヤボックスとアームとを有し、ギヤボックスは、扉本体の戸先側端面側における上リンクが貫通する部分に内蔵してあるとともに歯車軸を回動自在に支持しており、歯車軸は一端部をギヤボックスの戸先側面から突出するとともに、上リンクの室内外方向への摺動と連動して回動するものであり、アームは基端を歯車軸の一端部に固定してあり、アームの先端部が歯車軸の回動に伴って回動してサッシ枠の戸当り側竪枠を押圧することによって、把手の室内外方向の押し引き作動方向と同じ方向の開放力を扉本体に付与することを特徴とする扉。
【発明の詳細な説明】
【０００１】
【発明の属する技術分野】
本発明は、躯体の出入り口や窓、あるいは、門を閉塞開放する扉に関するものである。
【０００２】
【従来の技術】
上記した扉としては、例えば、躯体開口にはめ込まれたサッシ枠の竪枠に一端部を回動自在に支持させた扉本体を備えたものがあるが、このような扉において、扉本体の重量が大きい場合や、気密性および防音性を高めるためにサッシ枠に密着性を有するタイト材が設けてある場合には、開放初期に大きな扉本体開放力を必要とする。
【０００３】
そこで、従来において、扉本体の出入り方向の軸回りに回動するハンドルと連動する回転ブロックを扉本体の上端部に設け、ハンドルを回動操作した際に回転ブロックでサッシ枠の上枠を押圧するようになすことにより、開放初期の扉本体開放力の軽減を図った扉（実開昭６１−４５５７７号）が提案されている。
【０００４】
【発明が解決しようとする課題】
ところが、上記した従来の扉では、開放初期の扉本体の開放力を軽減することはできるものの、ハンドルを扉本体の出入り方向の軸回りに回わす操作と、扉本体を押したり引いたりする操作との操作方向の異なる２つの操作を必要とすることから、扉本体を開ける際の操作性が優れているとは言い難いという問題を有しており、この問題を解決することが従来の課題であった。
【０００５】
【発明の目的】
本発明は、上記した従来の課題に着目してなされたもので、開放初期における扉本体の開放力の軽減を実現したうえで、簡単な操作で開放することが可能である扉を提供することを目的としている。
【０００６】
【課題を解決するための手段】
本発明の請求項１に係わる扉は、回動する扉本体と、扉本体に設けた開閉操作用の把手と、開放力付与機構とを備え、把手は、扉本体の室内外の対称位置に各々上下方向に沿うように配置した室内側把手と室外側把手とであり、室内側把手及び室外側把手の上端部を扉本体に対して室内外方向に摺動自在に貫通した状態で把手座に支持される上リンクの端部に各々枢着連結するとともに、室内側把手及び室外側把手の下端部を扉本体に対して室内外方向に摺動自在に貫通した状態で把手座に支持されて上リンクと平行をなす下リンクの端部に各々枢着連結することにより、扉本体に対して開閉方向に押し引き作動可能としてあり、開放力付与機構はギヤボックスとアームとを有し、ギヤボックスは、扉本体の戸先側端面側における上リンクが貫通する部分に内蔵してあるとともに歯車軸を回動自在に支持しており、歯車軸は一端部をギヤボックスの戸先側面から突出するとともに、上リンクの室内外方向への摺動と連動して回動するものであり、アームは基端を歯車軸の一端部に固定してあり、アームの先端部が歯車軸の回動に伴って回動してサッシ枠の戸当り側竪枠を押圧することによって、把手の室内外方向の押し引き作動方向と同じ方向の開放力を扉本体に付与する構成としており、この扉の構成を従来の課題を解決するための手段としている。
【００１１】
【発明の作用】
本発明の請求項１に係わる扉では、上記した構成としているので、把手を操作して開放側に作動させると、これに伴って開放力付与機構によって把手の作動方向と同じ方向の開放力が扉本体に付与されることとなり、把手を押す、あるいは、引くといった一つの操作をし続ければ、扉本体は把手の操作方向に小さい力で開くこととなる。
【００１２】
また、上記した構成としたため、扉本体の戸先側の端部に開放力が付与されることとなり、すなわち、扉本体に大きなモーメントが生じることとなり、開放初期における扉本体の開放力がより一層軽減されることとなる。
【００１４】
さらに、把手支持体の押し引き方向の動作を利用して扉本体に開放力を付与するようにしているので、把手の動作を開放力付与機構に伝達するのに、把手支持体とは別の部材を設ける必要がなく、したがって、その分だけ、構造の簡略化およびコストの軽減化が図られることとなる。
【００１５】
【実施例】
以下、本発明を図面に基づいて説明する。
【００１６】
図１および図２は本発明に係わる扉の一実施例を示している。
【００１７】
図１および図２に示すように、この扉１は、回動する扉本体２と、扉本体２に設けた開閉操作用の棒状をなす把手３を備えており、扉本体２はその一端部を図示しない躯体開口にはめ込んだサッシ枠の吊り元側竪枠にヒンジを介して連結してあって、室外側に開くものとなっている。
【００１８】
把手３は、扉本体２の室内外の対称位置に各々上下方向に沿うようにして配置してあり、各々の上端部を扉本体２を室内外方向に摺動自在に貫通した状態で把手座４に支持される上リンク（把手支持体）５の端部にそれぞれ枢着連結すると共に、各々の下端部を扉本体２を室内外方向に摺動自在に貫通した状態で把手座４に支持されて上リンク５と平行をなす下リンク６の端部にそれぞれ枢着連結することにより、図１に実線で示すように（図２では仮想線で示すように）、扉本体２に対して室内外方向（開閉方向）に揺動することができるようになっている。すなわち、室内外方向に押し引き作動することができるようになっている。
【００１９】
扉本体２の上リンク５が貫通する部分には、ギヤボックス７が内蔵してあり、このギヤボックス７には、開放力付与機構１０の一部を構成する互いに噛み合う２個のギヤ１１，１２が収容してある。
【００２０】
２個のギヤ１１，１２のうち一方のギヤ１１は、一端部を上リンク５の略中央部にピン１３を介して回動自在に連結すると共に他端部をギヤボックス７にピン１４を介して回動自在に連結したレバー１５の他端部にピン１４と同心状に形成してあり、他方のギヤ１２は、一端部を扉本体２の戸先側端面２ａに固定したギヤボックス７の取付板７ａから突出させた状態でギヤボックス７に回動自在に支持される歯車軸１６の他端部に固定してある。
【００２１】
この場合、扉本体２の戸先側端面２ａに固定したギヤボックス７の取付板７ａから突出する歯車軸１６の一端部には、開放力付与機構１０の一部を構成するアーム（押圧体）１７の基端が固定してあり、この開放力付与機構１０では、把手３，３を室外側に揺動させた状態（図１に実線で示す状態）において、上リンク５の室外側への移動をレバー１５およびギヤ１１，１２を介して歯車軸１６の回動に変換し、この歯車軸１６とともに図示反時計回りに回動するアーム１７の先端部がサッシ枠の戸当り側竪枠Ｓａを押圧するようになすことによって、把手３，３の揺動方向と同じ室外方向の開放力を扉本体２に付与するようにしている。
【００２２】
この扉１では、例えば、室内から外に出る場合において、把手３の上端部側を押し操作して室外側に揺動させると、これに伴って開放力付与機構１０におけるアーム１７の先端部がサッシ枠の戸当り側竪枠Ｓａを押圧することによって、把手３の揺動方向と同じ室外方向の開放力が外開きの扉本体２に付与されることから、開放初期における扉本体２の開放力が軽減されることとなり、このまま把手３を押し続ければ、扉本体２は一気に開くこととなる。
【００２３】
したがって、この扉１では、把手３の操作方向と扉本体２の開放方向とを一致させているので、従来の開放力軽減機能を有する扉と比較して、扉本体２を開ける際の操作性が優れたものとなる。
【００２４】
また、この扉１では、把手３，３を室外側に揺動させた状態において、開放力付与機構１０のアーム１７の先端部がサッシ枠の戸当り側竪枠Ｓａを押圧するようにしてあるので、扉本体２の戸先側の端部に開放力が付与されることとなり、すなわち、扉本体２には大きなモーメントが発生することとなり、その結果、開放初期における扉本体２の開放力がより一層軽減されることとなる。
【００２５】
さらに、この扉１では、開放力付与機構１０において、把手３，３の室外側への揺動により室外側に移動する上リンク５の移動力を扉本体２に付与する開放力に変換するようにしていることから、すなわち、上リンク５の移動力を利用して扉本体２に開放力を付与するようにしていることから、把手３，３の動作を開放力付与機構１０に伝達するのに、上リンク５とは別の部材を設ける必要がなく、したがって、その分だけ、構造の簡略化およびコストの軽減化が図られることとなる。
【００４９】
上記した実施例では、本発明に係わる扉をサッシ枠がはめ込まれた躯体開口（出入り口）を閉塞開放するのに適用した場合を示したが、これに限定されるものではなく、例えば、躯体の窓を閉塞開放するのに用いたり、門を閉塞開放するのに用いたりすることも可能である。
【００５０】
また、上記した実施例では、本発明に係わる扉の扉本体を鉛直軸回りに回動するものとしているが、扉本体を水平軸回りに回動するものとしてもよく、さらに、扉本体を支持する部位は扉本体の端部に限定されるものではなく、扉本体の中央部分を回動自在に支持する構成とすることも可能である。
【００５１】
さらにまた、本発明に係わる扉の詳細な構成は、上記した実施例に限定されるものではない。
【００５２】
【発明の効果】
以上説明したように、本発明の請求項１に係わる扉では、前記した構成としたから、把手を押す、あるいは、引くといった一つの操作をし続けることで、扉本体を把手の操作方向に小さい力で開放することができ、すなわち、開放初期における扉本体の開放力の軽減を実現したうえで、簡単な操作で開放することが可能であるという非常に優れた効果がもたらされる。
【００５４】
さらに、前記した構成としているので、把手の動作を開放力付与機構に伝達するのに、上リンクとは別の部材を設ける必要がなく、その分だけ、構造の簡略化およびコストの軽減化を実現することが可能であるという非常に優れた効果がもたらされる。
【図面の簡単な説明】
【図１】本発明に係わる扉の一実施例を示す部分斜視説明図である。
【図２】図１に示した扉の戸先側からの側面説明図である。
【符号の説明】
１      扉
２      扉本体
３      把手
５      リンク（把手支持体
１０    開放力付与機構
１７    アーム（押圧体）
Ｓａ サッシ枠の戸当り側竪枠（躯体側の戸当り部）
【図１】
0003597727.tif 000002
【図２】
0003597727.tif 000003